【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  情報処理装置から送信されるデータ入出力要求を受信して、前記データ入出力要求に応じて記憶デバイスに対するデータの書き込み／読み出しを制御するための制御信号を出力する、互いに通信可能に接続される複数のチャネル制御部と、前記制御信号に応じて記憶デバイスに対するデータの書き込み／読み出しを行うディスク制御部と、を備えるストレージ制御装置の制御方法であって、
第１の前記チャネル制御部が、前記情報処理装置と通信することにより前記情報処理装置の動作を監視し、
第１の前記チャネル制御部が、前記情報処理装置における障害を検知した場合に、前記情報処理装置から送信されたデータ入出力要求が着信される第２の前記チャネル制御部により前記データ入出力要求に応じて実行される処理を制限するための処理を実行すること、
を特徴とするストレージ制御装置の制御方法。
【請求項２】  情報処理装置から送信されるデータ入出力要求を受信して前記データ入出力要求に応じて記憶デバイスに対するデータの書き込み／読み出しを制御するための制御信号を出力する、互いに通信可能に接続される複数のチャネル制御部と、前記制御信号に応じて記憶デバイスに対するデータの書き込み／読み出しを行うディスク制御部と、前記各チャネル制御部からアクセス可能な共有メモリを備えるストレージ制御装置の制御方法であって、
第１の前記チャネル制御部が、前記情報処理装置と通信することにより前記情報処理装置の動作を監視し、
第１の前記チャネル制御部が、前記情報処理装置における障害を検知した場合に当該情報処理装置を特定可能な識別子を前記共有メモリに記憶し、
第２の前記チャネル制御部が、前記共有メモリにアクセスすることにより前記識別子を取得し、
前記第２のチャネル制御部が、取得した前記識別子を有する前記情報処理装置から送信された前記データ入出力要求を受信した場合に前記データ入出力要求に応じて実行される処理を制限するための処理を実行すること、
を特徴とするストレージ制御装置の制御方法。
【請求項３】  情報処理装置から送信されるデータ入出力要求を受信して、前記データ入出力要求に応じて記憶デバイスに対するデータの書き込み／読み出しを制御するための制御信号を出力する、互いに通信可能に接続される複数のチャネル制御部と、前記制御信号に応じて記憶デバイスに対するデータの書き込み／読み出しを行うディスク制御部と、前記各チャネル制御部からアクセス可能な共有メモリを備えるストレージ制御装置の制御方法であって、
第１の前記チャネル制御部が、前記情報処理装置と通信することにより前記情報処理装置の動作を監視し、
第１の前記チャネル制御部が、前記情報処理装置における障害を検知した場合に当該情報処理装置を特定可能な識別子を前記共有メモリに記憶するとともに前記障害が生じている旨を第２の前記チャネル制御部に通知し、
前記第２のチャネル制御部が、前記通知を受信したのに応じて前記共有メモリにアクセスすることにより前記識別子を取得し、
前記第２のチャネル制御部が、取得した前記識別子を有する前記情報処理装置から送信された前記データ入出力要求を受信した場合に前記データ入出力要求に応じて実行される処理を制限するための処理を実行すること、
を特徴とするストレージ制御装置の制御方法。
【請求項４】  請求項１に記載のストレージ制御装置の制御方法において、
前記データ入出力要求に応じて実行される処理を制限するための処理は、障害が検知された前記情報処理装置から送信された前記データ入出力要求を受信した場合に前記データ入出力要求に応じて出力される前記制御信号を出力しないように制御する処理であること、
を特徴とするストレージ制御装置の制御方法。
【請求項５】  請求項１に記載のストレージ制御装置の制御方法において、
前記第１のチャネル制御部は、前記チャネル制御部と前記情報処理装置との間でハートビート信号を通信し、前記ハートビート信号が途絶したことをもって前記情報処理装置に障害が生じていることを検知すること、
を特徴とするストレージ制御装置の制御方法。
【請求項６】  請求項１乃至５のいずれかに記載のストレージ制御装置の制御方法において、
前記第１のチャネル制御部は、前記情報処理装置から送信される前記データ入出力要求としてファイル指定によるデータ入出力要求を受け付ける機能を備え、前記第２のチャネル制御部は、前記情報処理装置から送信される前記データ入出力要求としてブロック指定によるデータ入出力要求を受け付ける機能を備えること、
を特徴とするストレージ制御装置の制御方法。
【請求項７】  情報処理装置から送信されるデータ入出力要求を受信して、前記データ入出力要求に応じて記憶デバイスに対するデータの書き込み／読み出しを制御するための制御信号を出力する、互いに通信可能に接続される複数のチャネル制御部と、前記制御信号に応じて記憶デバイスに対するデータの書き込み／読み出しを行うディスク制御部と、を備えるストレージ制御装置の制御方法であって、
前記情報処理装置から送信されてくる要求に応じて前記情報処理装置にファイル管理情報を送信し、
前記情報処理装置から送信されてくる前記ファイル管理情報に基づいて生成されたデータ入出力要求を受信してこれに応じたデータの書き込み／読み出しを前記記憶デバイスに対して実行し、
第１の前記チャネル制御部が、前記情報処理装置と通信することにより前記情報処理装置の動作を監視し、
前記第１のチャネル制御部が、前記情報処理装置における障害を検知した場合に、前記情報処理装置から送信されたデータ入出力要求が着信される第２の前記チャネル制御部により前記データ入出力要求に応じて実行される処理を制限するための処理を実行すること、
を特徴とするストレージ制御装置の制御方法。
【請求項８】  請求項１に記載のストレージ制御装置の制御方法において、
前記情報処理装置と通信することにより行われる前記情報処理装置の動作の監視は、前記情報処理装置と前記第１のチャネル制御部において動作しているクラスタソフトウェアの機能により実現されること、
を特徴とするストレージ制御装置の制御方法。
【請求項９】  請求項１に記載のストレージ制御装置の制御方法において、
前記第１のチャネル制御部はＬＡＮに接続するためのインタフェースを有し、
前記第２のチャネル制御部はＳＡＮに接続するためのインタフェースを有すること、
を特徴とするストレージ制御装置の制御方法。
【請求項１０】  情報処理装置から送信されるデータ入出力要求を受信して、前記データ入出力要求に応じて記憶デバイスに対するデータの書き込み／読み出しを制御するための制御信号を出力する、互いに通信可能に接続される複数のチャネル制御部と、
前記制御信号に応じて記憶デバイスに対するデータの書き込み／読み出しを行うディスク制御部と、
第１の前記チャネル制御部が、前記情報処理装置と通信することにより前記情報処理装置の動作を監視する手段と、
第１の前記チャネル制御部が、前記情報処理装置における障害を検知した場合に、前記情報処理装置から送信されたデータ入出力要求が着信される第２の前記チャネル制御部により前記データ入出力要求に応じて実行される処理を制限するための処理を実行する手段と、
を備えることを特徴とするストレージ制御装置。
【請求項１１】  請求項１０に記載のストレージ制御装置において、
前記第１のチャネル制御部は、前記情報処理装置から送信される前記データ入出力要求としてファイル指定によるデータ入出力要求を受け付ける機能を備え、前記第２のチャネル制御部は、前記情報処理装置から送信される前記データ入出力要求としてブロック指定によるデータ入出力要求を受け付ける機能を備えること、
を特徴とするストレージ制御装置。
【請求項１２】  情報処理装置から送信されるデータ入出力要求を受信して、前記データ入出力要求に応じて記憶デバイスに対するデータの書き込み／読み出しを制御するための制御信号を出力する、互いに通信可能に接続される複数のチャネル制御部と、
前記制御信号に応じて記憶デバイスに対するデータの書き込み／読み出しを行うディスク制御部と、
前記情報処理装置と通信することにより前記情報処理装置の動作を監視する手段と、
前記情報処理装置における障害を検知した場合に、前記情報処理装置から送信されたデータ入出力要求が着信される第２の前記チャネル制御部により前記データ入出力要求に応じて実行される処理を制限するための処理を実行する手段と
を備えることを特徴とするストレージ制御装置。